(57)【要約】【課題】ＩＣカードに従前のキャッシュカードの機能を持たせることにより、利用者がこのＩＣカードさえ所持していれば、キャッシュカードを所持していなくても、ＡＴＭやデビット端末等の取引装置を利用した取引を行えるようにする。【解決手段】ＡＴＭ１０で「携帯電話記録」メニューが選択されると、磁気カードリーダー部３８によりキャッシュカードからキャッシュカード情報が読み出され、ＩＣカード通信部４２を介して、携帯電話機１２に内蔵された非接触ＩＣカード２８に書き込まれる。その後は、ＩＣカード通信部４２がＩＣカード２８から読み出したキャッシュカード情報に基づいて取引を行うことができる。【選択図】    図３
2005174019.tif 000002
【特許請求の範囲】
【請求項１】
利用者が金融機関との間で取引を行うための取引装置であって、
利用者が所持するＩＣカードとの間で通信を行うＩＣカード通信部と、
前記ＩＣカードに記録された当該利用者が有する口座を特定するための口座特定情報を、前記ＩＣカード通信部により読み出す口座情報取得部と、
前記読み出した口座特定情報と、前記利用者が入力した暗証番号とを前記金融機関の口座管理を行うホストコンピュータシステムへ送信することにより取引を実行する取引実行部と、を備えることを特徴とする取引装置。
【請求項２】
請求項１記載の取引装置において、
キャッシュカードを受け付けるカード受付部と、
前記受け付けたキャッシュカードに記録された前記口座特定情報を読み取るカード読取部と、
前記口座特定情報と、利用者が入力した暗証番号とを前記ホストコンピュータへ送信し、当該ホストコンピュータからの応答信号に基づいて、前記暗証番号が正当か否かを判別する暗証番号判別部と、
前記暗証番号が正当であると判別された場合に、前記読み取った口座特定情報を、前記ＩＣカード通信部により前記ＩＣカードへ書き込む口座情報書込部と、を更に備えることを特徴とする取引装置。
【請求項３】
請求項１又は２記載の取引装置において、
利用者に引き出し、入金、振り込み、残高照会などの取引を選択させる取引選択部を有するＡＴＭとして構成され、
前記取引実行部は、前記口座特定情報及び前記暗証番号と、前記選択された取引を示す情報とを前記ホストコンピュータシステムへ送信することを特徴とする取引装置。
【請求項４】
デビットカード端末として構成された請求項１又は２記載の取引装置。
【請求項５】
前記ＩＣカードは、携帯端末に内蔵された非接触ＩＣカードであることを特徴とする請求項１〜４のうち何れか１項記載の取引装置。
【請求項６】
利用者から暗証番号の入力を受け付ける暗証番号入力部を備えることを特徴とする請求項１〜５のうち何れか１項記載の取引装置。
【請求項７】
前記携帯端末で入力された暗証番号を当該携帯端末から受信する手段を備えることを特徴とする請求項５記載の取引装置。
【請求項８】
金融機関との間で取引を行うための取引端末と、利用者が所持するＩＣカードとにより構成され、
前記ＩＣカードには、当該利用者が有する口座を特定するための口座特定情報が記録されており、
前記取引端末は、
利用者が所持するＩＣカードとの間で通信を行うＩＣカード通信部と、
前記ＩＣカード通信部により前記ＩＣカードから、当該ＩＣカードに記録された、当該利用者が有する口座を特定するための口座特定情報を読み出す口座情報取得部と、
前記読み出した口座特定情報と、前記利用者が入力した暗証番号とを前記金融機関の口座管理を行うホストコンピュータシステムへ送信することにより取引を実行する取引実行部と、を備えることを特徴とする取引システム。
【請求項９】
利用者が金融機関との間で取引を行うための取引方法であって、
利用者が所持するＩＣカードに、当該利用者が有する口座を特定するための口座特定情報を予め格納しておくステップと、
前記ＩＣカードから、当該ＩＣカードに記録され前記口座特定情報を読み出すステップと、
前記読み出した口座特定情報と、前記利用者が入力した暗証番号とを前記金融機関の口座管理を行うホストコンピュータシステムへ送信することにより取引を実行するステップと、を備えることを特徴とする取引方法。
【発明の詳細な説明】
【技術分野】
【０００１】
本発明は、利用者が金融機関との間で金融取引を行うための取引装置、取引システム、及び、取引方法に関する。
【背景技術】
【０００２】
出金、残高照会、振込等の金融機関との取引は、ＡＴＭ（現金自動受払機）を利用して行うことが一般的となっている。ＡＴＭでは、キャッシュカードを機械に挿入し、暗証番号による認証を受けたうえで、画面上で取引メニューを選択して、所望の取引を行うことができる。また、デビットカード決済でも、店頭に置かれたデビット端末にキャッシュカードを挿入し、暗証番号を入力することで、銀行口座からの引落しによる即時決済を行える。
【０００３】
また、特許文献１には、携帯電話にＩＣチップを内蔵し、携帯電話に暗証番号や金融処理情報を入力することにより、携帯電話からＡＴＭ取引を行えるようにしたシステムが開示されている。同様に、特許文献２にも、携帯電話で行われた操作に、ＡＴＭの操作部で行われ操作と同じ機能を持たせることにより、携帯電話からＡＴＭ取引を行えるようにしたシステムが開示されている。
【特許文献１】特開２００１−２９７１９８号公報
【特許文献２】特開２００３−１１５０７５号公報
【発明の開示】
【発明が解決しようとする課題】
【０００４】
従来のキャッシュカードは磁気カードで構成されているため、第三者がカードからデータを読み出せる可能性があるなど、セキュリティ上必ずしも万全ではない。また、ＡＴＭの利用しか用途のないキャッシュカードを常時携帯することは利用者にとって煩わしい。
【０００５】
一方、特許文献１及び２に開示されたシステムによれば、キャッシュカードを用いずに、携帯電話機からＡＴＭを利用することができる。しかし、何れのシステムも、ＡＴＭに対応した機能を携帯電話機に持たせて、ＡＴＭの操作パネル上で行われていた操作を全て携帯電話機から行えるようにするものである。このため、ＡＴＭに対応した携帯電話機からでないとＡＴＭを利用することはできず、汎用性に欠ける。また、携帯電話機を利用する場合には、利用者が慣れ親しんでいるＡＴＭ上での操作で取引を行うことはできない。
【０００６】
本発明は上記の点に鑑みてなされたものであり、ＩＣカードに従前のキャッシュカードの機能を持たせることにより、利用者がこのＩＣカードさえ所持していれば、キャッシュカードを所持していなくても、ＡＴＭやデビット端末等の取引装置を利用した取引を行えるようにすることを目的とする。
【課題を解決するための手段】
【０００７】
上記の目的を達成するため、本発明は、利用者が金融機関との間で取引を行うための取引装置であって、
利用者が所持するＩＣカードとの間で通信を行うＩＣカード通信部と、
前記ＩＣカードに記録された当該利用者が有する口座を特定するための口座特定情報を、前記ＩＣカード通信部により読み出す口座情報取得部と、
前記読み出した口座特定情報と、前記利用者が入力した暗証番号とを前記金融機関の口座管理を行うホストコンピュータシステムへ送信することにより取引を実行する取引実行部と、を備えることを特徴とする。
【０００８】
この取引装置は、更に、キャッシュカードを受け付けるカード受付部と、
前記受け付けたキャッシュカードに記録された前記口座特定情報を読み取るカード読取部と、
前記口座特定情報と、利用者が入力した暗証番号とを前記ホストコンピュータへ送信し、当該ホストコンピュータからの応答信号に基づいて、前記暗証番号が正当か否かを判別する暗証番号判別部と、
前記暗証番号が正当であると判別された場合に、前記読み取った口座特定情報を、前記ＩＣカード通信部により前記ＩＣカードへ書き込む口座情報書込部と、を更に備えてもよい。
【０００９】
また、本発明の取引装置は、利用者に引き出し、入金、振り込み、残高照会などの取引を選択させる取引選択部を有するＡＴＭとして構成され、
前記取引実行部は、前記口座特定情報及び前記暗証番号と、前記選択された取引を示す情報とを前記ホストコンピュータシステムへ送信することとしてもよい。
【００１０】
あるいは、本発明の取引装置は、デビットカード端末として構成されてもよい。
【００１１】
また、本発明において、前記ＩＣカードは、携帯端末に内蔵された非接触ＩＣカードであってもよい。
【００１２】
また、本発明の取引装置は、利用者から暗証番号の入力を受け付ける暗証番号入力部を備えてもよく、あるいは、前記携帯端末で入力された暗証番号を当該携帯端末から受信する手段を備えてもよい。
【００１３】
また、本発明の取引システムは、金融機関との間で取引を行うための取引端末と、利用者が所持するＩＣカードとにより構成され、
前記ＩＣカードには、当該利用者が有する口座を特定するための口座特定情報が記録されており、
前記取引端末は、
利用者が所持するＩＣカードとの間で通信を行うＩＣカード通信部と、
前記ＩＣカード通信部により前記ＩＣカードから、当該ＩＣカードに記録された、当該利用者が有する口座を特定するための口座特定情報を読み出す口座情報取得部と、
前記読み出した口座特定情報と、前記利用者が入力した暗証番号とを前記金融機関の口座管理を行うホストコンピュータシステムへ送信することにより取引を実行する取引実行部と、を備えることを特徴とする。
【００１４】
また、本発明の取引方法は、
利用者が所持するＩＣカードに、当該利用者が有する口座を特定するための口座特定情報を予め格納しておくステップと、
前記ＩＣカードから、当該ＩＣカードに記録され前記口座特定情報を読み出すステップと、
前記読み出した口座特定情報と、前記利用者が入力した暗証番号とを前記金融機関の口座管理を行うホストコンピュータシステムへ送信することにより取引を実行するステップと、を備えることを特徴とする。
【発明の効果】
【００１５】
本発明によれば、ＩＣカードに従前のキャッシュカードの機能を持たせることにより、利用者がこのＩＣカードさえ所持していれば、キャッシュカードを所持していなくても、ＡＴＭやデビット端末等の取引装置を利用した取引を行えるようになる。
【発明を実施するための最良の形態】
【００１６】
＝＝システム構成＝＝
図１は、本発明の一実施形態であるシステムの全体構成図である。同図に示す如く、本実施形態のシステムは、金融機関Ｘの店舗や各所のＡＴＭコーナーに設置されたＡＴＭ１０と、金融機関Ｘの顧客が所持する携帯電話機１２とを含んで構成されている。
【００１７】
ＡＴＭ１０は、金融機関Ｘの社内ネットワーク１４を介して、ホストコンピュータ１６に接続されている。社内ネットワーク１４には、口座情報データベース１８が接続されている。口座情報データベース１８はホストコンピュータ１６により管理されるデータベースであり、図２に例示するように、金融機関Ｘの各口座について、名義人、口座情報（店名、口座種別、口座番号）、暗証番号、口座残高、取引履歴明細等が記録されている。
【００１８】
図３は、ＡＴＭ１０及び携帯電話機１２のハードウェア構成を示すブロック図である。同図に示すように、携帯電話機１２は、ＣＰＵ２０、メモリ２２、液晶等のディスプレイ画面で構成されたディスプレイ部２４、入力キーで構成された操作部２６、非接触ＩＣカード２８等を備えている。ＣＰＵ２０はメモリ２２に格納されたプログラム２２ａを実行することにより、非接触ＩＣカード２８へアクセスすることができる。なお、携帯電話機１２に限らず、ＰＤＡなどの他の携帯端末を用いてもよい。要するに、利用者が常時携帯する端末に非接触ＩＣカード２８を内蔵させればよい。
【００１９】
ＡＴＭ１０は、ＣＰＵ３０、メモリ３２、タッチパネル式ディスプレイ３４、カード受付部３６、磁気カードリーダー部３８、入出金部３９、携帯電話設置部４０、ＩＣカード通信部４２、ホスト通信部４４等を備えている。磁気カードリーダー部３８はカード受付部３６に挿入されたキャッシュカードから磁気情報を読み取る。入出金部３９は、引き出しや入金の際の現金の入出金口である。ホスト通信部４４はホストコンピュータ１６との間の通信を制御する。また、ＩＣカード通信部４２は、携帯電話機設置部４０に設置された携帯電話機１２に内蔵された非接触ＩＣカード２８と通信して、非接触ＩＣカード２８へのアクセスを行う。メモリ３２にはプログラム３２ａが格納されており、このプログラム３２ａをＣＰＵ３０が実行してＡＴＭ１０が備える各部を制御することによりＡＴＭ１０としての機能が実現される。
【００２０】
図４及び図５は、ＡＴＭ１０のＣＰＵ３０が実行するプログラム３２ａの処理内容を示すフローチャートである。図４に示す如く、ＣＰＵ３０は、先ず、図６に例示する取引メニュー画面をタッチパネル式ディスプレイ３４に表示させ（Ｓ１００）、この取引メニュー画面で選択されたメニュー項目を判別する（Ｓ１０２）。図６に示すように、取引メニュー画面には、「残高照会」、「引き出し」、「入金」、「振り込み」などの通常のＡＴＭが有するメニュー項目のほか、「携帯電話記録」というＡＴＭ１０に特有のメニュー項目が含まれている。本実施形態では、携帯電話機１２を用いてＡＴＭ１０を利用しようとする利用者は、予め、ＡＴＭ１０にてキャッシュカードの磁気情報を携帯電話機１２の非接触ＩＣカード２８へ格納しておくものとしており、その場合に、「携帯電話記録」メニューを選択する。そして、キャッシュカードの磁気情報を非接触ＩＣカード２８へ格納すると、以後、携帯電話機１２によりＡＴＭ取引を利用することが可能となる。
【００２１】
＝＝キャッシュカード記録情報のＩＣカードへの格納＝＝
図６の取引メニュー画面において「携帯電話記録」メニューが選択された場合、ＣＰＵ３０は、キャッシュカードを挿入すべき旨のメッセージをタッチパネル式ディスプレイ３４に表示させる（図４のＳ１０４）。このメッセージに応じて、キャッシュカードがカード受付部３６に挿入されると、ＣＰＵ３０は、磁気カードリーダー部３８によりキャッシュカードに記録された磁気情報（以下、キャッシュカード情報という）を読み取らせる（Ｓ１０６）。なお、キャッシュカード情報は、銀行番号、口座種別、口座番号などの情報を含んでおり、本発明の「口座特定情報」に該当する。また、ＣＰＵ３０は、暗証番号を入力すべき旨のメッセージをタッチパネル式ディスプレイ３４に表示させ（Ｓ１０８）、このメッセージに応じて入力された暗証番号を取得する（Ｓ１１０）。
【００２２】
次に、ＣＰＵ３０は、磁気カードリーダー部３８がキャッシュカードから読み取ったキャッシュカード情報と、入力された暗証番号とを、ホスト通信部４４によりホストコンピュータ１６へ送信させる（Ｓ１１２）。ホストコンピュータ１６は、口座情報データベース１８を参照して、暗証番号が、キャッシュカード情報に対応した正当なものであるか否かを判定し（Ｓ１１４）、その判定結果を示す信号をＡＴＭ１０へ送信する（Ｓ１１６）。
【００２３】
ＡＴＭ１０のデータ通信部４４がホストコンピュータ１６から上記の信号を受信すると、ＣＰＵ３０は、その信号に基づいて暗証番号が正当なものであるか否かを判別し（Ｓ１１８）、正当であれば、ＩＣカード内蔵の携帯電話機をセットすべき旨のメッセージをタッチパネル式ディスプレイ３４に表示させる（Ｓ１２０）。そして、ＣＰＵ３０は、ＩＣカード通信部４２に対して、非接触ＩＣカード２８へキャッシュカード情報を書き込むべきことを指令する（Ｓ１２２）。これに応じて、ＩＣカード通信部４２は、所定の通信手順で非接触ＩＣカード２８との通信を行い、非接触ＩＣカード２８へキャッシュカード情報を書き込む。一方、暗証番号が正当なものでなければ、その旨のメッセージ等をタッチパネル式ディスプレイ３４に表示させる（Ｓ１２４）。
【００２４】
図７は、ＩＣカード通信部４２と非接触ＩＣカード２８との間の通信手順の一例を示す。同図に示すように、先ず、ＩＣカード通信部４２は、非接触ＩＣカード２８に対するポーリング信号を発信する（Ｓ２００）。ＩＣカード通信部４２に設置された携帯電話機３２に内蔵された非接触ＩＣカード２８は、このポーリング信号に応じて、自己のＩＤ（以下、カードＩＤという）をＩＣカード通信部４２へ返信する（Ｓ２０２）。この返信を受けたＩＣカード通信部４２は、非接触ＩＣカード２８のアクセスしたいデータブロック名（すなわち、契約者番号及び確認番号が格納されたデータブロック名）をカードＩＤと共に、非接触ＩＣカード２８へ通知する（Ｓ２０４）。非接触ＩＣカード２８は、通知されたカードＩＤが自己のカードＩＤに一致することを確認のうえ（Ｓ２０６）、指定されたデータブロックへのアクセスに必要な暗号鍵のバージョン情報をＩＣカード通信部４２へ返送する（Ｓ２０８）。
【００２５】
ＩＣカード通信部４２は、アクセスしたいデータブロック名と暗号鍵のバージョン情報とから暗号鍵Ｋｃを生成する（Ｓ２１０）。一方、非接触ＩＣカード２８も、データブロック名から暗号鍵Ｋｃを生成する（Ｓ２１２）。こうして、ＩＣカード通信部４２と非接触ＩＣカード２８との間で暗号鍵Ｋｃが共有され、この暗号鍵Ｋｃを用いて相互認証が行われる。この相互認証の手順は次の通りである。
【００２６】
先ず、ＩＣカード通信部４２は乱数Ｒ１を生成し（Ｓ２１４）、これを暗号化したＭ１＝Ｅ１（Ｒ１）を非接触ＩＣカード２８へ送信する（Ｓ２１６）。非接触ＩＣカード２８はＭ１を復号してＰ１＝Ｄ１（Ｍ１）を得る（Ｓ２１８）。そして、このＰ１を暗号化したＭ２＝Ｅ２（Ｐ１）をＩＣカード通信部４２へ送信する（Ｓ２２０）。ＩＣカード通信部４２は、非接触ＩＣカード２８から受信したＭ２を復号してＰ２＝Ｄ２（Ｍ２）を得て（Ｓ２２２）、このＰ２がＲ１と一致するか否かを確認する（Ｓ２２４）。
【００２７】
次に、非接触ＩＣカード２８は、乱数Ｒ２を生成し（Ｓ２２６）、これを暗号化したＭ３＝Ｅ１（Ｒ２）をＩＣカード通信部４２へ送信する（Ｓ２２８）。ＩＣカード通信部４２は、Ｍ３を復号してＰ３＝Ｄ１（Ｍ３）を得る（Ｓ２３０）。そして、このＰ３を暗号化したＭ４＝Ｅ２（Ｐ３）を非接触ＩＣカード２８へ送信する（Ｓ２３２）。非接触ＩＣカード２８は、Ｍ４を復号してＰ４＝Ｄ２（Ｍ４）を得て（Ｓ２３４）、このＰ４が、Ｒ２と一致するか否かを確認する（Ｓ２３６）。
【００２８】
上記Ｓ２２４，Ｓ２３６で一致が確認できれば、ＩＣカード通信部４２と非接触ＩＣカード２８との相互認証が完了する。そして、ＩＣカード通信部４２及び非接触ＩＣカード２８はＲ１をシーケンスＩＤに、Ｒ２をトランザクション鍵に、夫々設定し（Ｓ２３８，Ｓ２４０）、これらシーケンスＩＤ及びトランザクション鍵を用いた暗号化通信により、ＩＣカード通信部４２は非接触ＩＣカード２８にアクセスし（Ｓ２４２）、キャッシュカード情報を書き込むことができる。
【００２９】
こうして非接触ＩＣカード２８へのキャッシュカード情報の書き込みが完了すると、ＣＰＵ３０は、タッチパネル式ディスプレイ３４に書き込み完了のメッセージを表示させ（Ｓ１２６）た後、Ｓ１００に戻って、再び取引メニュー画面を表示させる。
【００３０】
なお、図７に示すＩＣカード通信部４２と非接触ＩＣカード２８との通信手順は一例であり、使用する非接触ＩＣカード２８の仕様に応じた通信手順を用いることができる。
【００３１】
＝＝携帯電話機を利用したＡＴＭ取引＝＝
図６の取引メニュー画面において「携帯電話データ記録」以外の取引メニューが選択された場合、例えば「残高照会」が選択された場合、ＣＰＵ３０は、キャッシュカードを挿入し又はＩＣカード内蔵の携帯電話機をセットすべき旨のメッセージをタッチパネル式ディスプレイ３４に表示させる（図５のＳ１５０）。これに応じて、携帯電話機１２が携帯電話設置部４０にセットされると、ＩＣカード通信部４２は上記図７と同じ手順で非接触ＩＣカード２８と通信を行うことにより非接触ＩＣカード２８に格納されたキャッシュカード情報を読み出し、ＣＰＵ３０はそのキャッシュカード情報を取得する（Ｓ１５２）。また、ＣＰＵ３０は、暗証番号を入力すべき旨のメッセージをタッチパネル式ディスプレイ３４に表示させ（Ｓ１５４）、これに応じて入力された暗証番号を取得する（Ｓ１５６）。そして、非接触ＩＣカード２８から読み出されたキャッシュカード情報及び入力された暗証番号と、選択された取引（本例では残高照会）を示す情報とをホスト通信部４４によりホストコンピュータ１６へ送信させる（Ｓ１５８）。ホストコンピュータ１６は口座情報データベース１８を参照して、暗証番号が正当であるか否かを判定し（Ｓ１６０）、正当であれば、該当する口座の残高情報を読み出して、ＡＴＭ１０へ送信する（Ｓ１６２）。ＣＰＵ３０はホストコンピュータ１６から受信した残高情報をタッチパネル式ディスプレイ３４へ表示させる（Ｓ１６４）。一方、暗証番号が正当なものでなければ、ホストコンピュータ１６はそのことを示す信号をＡＴＭ１０へ送信し（Ｓ１６６）、ＣＰＵ３０は暗証番号が正しくない旨のメッセージ等をタッチパネル式ディスプレイ３４へ表示させる（Ｓ１６８）。そして、タッチパネル式ディスプレイ３４にて終了操作が行われると（Ｓ１７０）、取引は完了し、図４のＳ１００に戻って再び取引メニュー画面を表示させる。
【００３２】
なお、上記Ｓ１５０のメッセージに応じて、キャッシュカードが挿入された場合は、従前のＡＴＭと全く同様にして、キャッシュカードによる取引が行われる。また、上記の例では、残高照会メニューが選択された場合について述べたが、引き出し、入金、振り込み等の他の取引メニューが選択された場合は、その取引内容に応じて、ＣＰＵ３０は、引き出しの場合には、引き出し額の入力、ホストコンピュータ１６への出金指示、入出金部３９からの出金を行い、入金の場合には、入出金部３９での入金の受付、入金額の計数、ホストコンピュータへの入金指示を行い、振り込みの場合には、振込先・振込額の入力、ホストコンピュータへの振込指示を行う。
【００３３】
以上説明したように、本実施形態のシステムによれば、ＡＴＭ１０により、携帯電話機１２に内蔵された非接触ＩＣカード２８にキャッシュカード情報を格納することができ、以後、この携帯電話機１２をＡＴＭ１０の携帯電話設置部４０にセットするだけで、ＡＴＭ１０を利用した取引を行うことができる。すなわち、利用者は、携帯電話機１２さえ所持していれば、キャッシュカードを所持していなくてもＡＴＭ１０を利用することができる。
【００３４】
また、本実施形態では、携帯電話機１２に内蔵した非接触ＩＣカード２８にキャッシュカード情報を格納することにより、キャッシュカードの機能のみを携帯電話機１２に持たせ、取引メニューの選択や、取引中の入力操作はＡＴＭ１０で行うようにしている。このため、既存のＡＴＭ１０の機能を活かしつつ、ＩＣカード通信部４２を追加するだけで、本実施形態のシステムに対応することが可能となる。
【００３５】
さらに、既存のＡＴＭを使い慣れた利用者も、キャッシュカードを挿入する代わりに携帯電話機１２をセットするだけで、後は従前通りの操作で取引を行えるため、利用者の良好な操作性も確保することができる。
【００３６】
また、携帯電話機１２は非接触ＩＣカード２８を内蔵できる構成であればよく、ＡＴＭ１０を利用するために特別なアプリケーションプログラムを実装する必要がないので、システムの汎用性も高くなる。
【００３７】
なお、上記実施形態では、暗証番号の入力をＡＴＭ１０から行うものとしたが、携帯電話機１４から暗証番号を入力する構成としてもよい。その場合、携帯電話機１４とＡＴＭ１０との間で直接、暗証番号を通信するための手段を設けてもよいし、あるいは、携帯電話機１４で入力された暗証番号を非接触ＩＣカード２８に格納し、ＡＴＭ１０のＩＣカード通信部４２がキャッシュカード情報と共に暗証番号を読み出す構成としてもよい。
【００３８】
また、上記実施形態では、利用者が携帯電話機１２などの携帯端末を常時携帯するのが通常であることに鑑みて、非接触ＩＣカード２８を携帯端末に内蔵させることとしたが、例えば、非接触ＩＣカード２８が多目的に用いられるカードであって利用者が常時携帯する性質のものであれば、必ずしも携帯端末に内蔵させなくてもよい。
【００３９】
さらに、上記実施形態では、本発明の取引装置がＡＴＭ１０として構成された場合について説明したが、本発明の取引装置はＡＴＭに限らず、デビット決済を行うためのデビットカード端末として構成することも可能である。
【００４０】
なお、上記実施形態においては、ＣＰＵ３０がＳ１０６の処理を実行することにより本発明の「カード読取部」が、Ｓ１１２〜Ｓ１１８の処理を実行することにより「暗証番号判別部」が、Ｓ１２２の処理を実行することにより「口座情報書込部」が、Ｓ１００，Ｓ１０２の処理を実行することにより「取引選択部」が、Ｓ１５２の処理を実行することにより「口座情報取得部」が、Ｓ１５４，Ｓ１５６の処理を実行することにより「暗証番号入力部」が、Ｓ１５８，１６４の処理を実行することにより「取引実行部」が、夫々実現されている。
【図面の簡単な説明】
【００４１】
【図１】本発明の一実施形態であるシステムの全体構成図である。
【図２】口座情報データベースに記録されたデータの構成例を示す図である。
【図３】本実施形態におけるＡＴＭ及び携帯電話機のハードウェア構成図である。
【図４】ＡＴＭのＣＰＵが実行するプログラムの処理内容を示すフローチャート（その１）である。
【図５】ＡＴＭのＣＰＵが実行するプログラムの処理内容を示すフローチャート（その２）である。
【図６】ＡＴＭに表示される取引メニュー画面の一例を示す図である。
【図７】ＩＣカード通信部と非接触ＩＣカードとの間の通信手順を示す図である。
【符号の説明】
【００４２】
１０  ＡＴＭ
１２  携帯電話機
１６  ホストコンピュータ
１８  口座情報データベース
２８  非接触ＩＣカード
３０  ＣＰＵ
３２  メモリ
３２ａ  プログラム
３４  タッチパネル式ディスプレイ
３６  カード受付部
３８  磁気カードリーダー部
４０  ホスト通信部
４２  ＩＣカード通信部
【図１】
2005174019.tif 000003
【図２】
2005174019.tif 000004
【図３】
2005174019.tif 000005
【図４】
2005174019.tif 000006
【図５】
2005174019.tif 000007
【図６】
2005174019.tif 000008
【図７】
2005174019.tif 000009